(57)【要約】【課題】簡素な構成を有し、型枠を剥離することを可能とした、ヒゲ付き円環部材を提供することである。【解決手段】本発明のヒゲ付き円環部材１０は、ドーナツ形状を潰した形状を有する円環部材１１、ドーナツ形状を潰した形状の外周の対向または略対向する位置に設けた２つの溝部を介して、円環部材１１に巻き付けたワイヤー（ヒゲ部）１２、を備える。位置決め部材の一端から露出したオスネジ（セパレータの端部）を、円環部材１０のドーナツ形状の中空部分に挿通させる。そのオスネジとともに、ヒゲ部１２を型枠の一面から他面に挿通させて、ヒゲ部（ワイヤー）１２の先端同士を結ぶ。その結んだワイヤー１２を引っ張ることにより、その結んだワイヤー１２に巻かれた円環部材１１を介して型枠が引っ張られる。【選択図】図１
2006249923.tif 000002
【特許請求の範囲】
【請求項１】
軸部に挿通される位置決め部材と、その位置決め部材が当接する型枠とに挟まれて使用され、ドーナツ形状を潰した形状を有する円環部材と、
位置決め部材の端部から露出したオスネジとともに前記型枠の一面に設けられた穴部に挿通されて、該型枠の他面に前記オスネジとともに露出されるように使用され、前記ドーナツ形状を潰した形状の外周の対向または略対向する位置に設けた２つの溝部を介して、前記円環部材に巻き付けたワイヤーにより構成されるヒゲ部を備え、
そのドーナツ形状の中空部分の中心部をそのワイヤーが通過することを避けるようにしたことを特徴とするヒゲ付き円環部材。
【請求項２】
前記円環部材の中空部分の一方の側および他方の側を通過するワイヤーの部分を前記円環部材のそれぞれの面に半田付けすることにより、前記ドーナツ形状の中空部分の中心部を前記ワイヤーが通過することを避けるようにしたことを特徴とする請求項１記載のヒゲ付き円環部材。
【請求項３】
前記円環部材の中空部分の中心部をそのワイヤーが通過することを避けることを可能とする程度の遊びを持たせて前記ワイヤーを前記円環部材に巻きつけたことを特徴とする請求項１記載のヒゲ付き円環部材。
【請求項４】
前記型枠から露出されたヒゲ部（ワイヤー）の先端部同士を結んで、引っ張り部材により、その結んだワイヤーを引っ張ることにより、前記円環部材を介して前記型枠を引っ張ったときに、前記型枠が剥離可能な程度の強度を前記ワイヤーおよび前記円環部材は備えることを特徴とする請求項１記載のヒゲ付き円環部材。
【請求項５】
軸部に挿通される位置決め部材と、その位置決め部材が当接する型枠とに挟まれて使用され、ドーナツ形状を潰した形状を有する円環部材と、
位置決め部材の端部から露出したオスネジとともに前記型枠の一面に設けられた穴部に挿通されて、該型枠の他面に前記オスネジとともに露出されるように使用され、前記ドーナツ形状を潰した形状の中心部から同じ距離または略同じ距離であって、対向または略対向する位置に設けた２つの穴部を介して、前記円環部材に挿通されたワイヤーにより構成されるヒゲ部を備え、
そのドーナツ形状の中空部分の中心部をそのワイヤーが通過することを避けるようにしたことを特徴とするヒゲ付き円環部材。
【請求項６】
前記円環部材の中空部分の一方の側および他方の側を通過するワイヤーの部分を前記円環部材のそれぞれの面に半田付けすることにより、前記ドーナツ形状の中空部分の中心部を前記ワイヤーが通過することを避けるようにしたことを特徴とする請求項５記載のヒゲ付き円環部材。
【請求項７】
前記円環部材の中空部分の中心部をそのワイヤーが通過することを避けることを可能とする程度の遊びを持たせて前記ワイヤーを前記円環部材の穴部に挿通させたことを特徴とする請求項５記載のヒゲ付き円環部材。
【請求項８】
前記型枠から露出されたヒゲ部（ワイヤー）の先端部同士を結んで、引っ張り部材により、その結んだワイヤーを引っ張ることにより、前記円環部材を介して前記型枠を引っ張ったときに、前記型枠が剥離可能な程度の強度を前記ワイヤーおよび前記円環部材は備えることを特徴とする請求項５記載のヒゲ付き円環部材。
【発明の詳細な説明】
【技術分野】
【０００１】
本発明は、型枠剥離時にその型枠と軸部に挿通された位置決め部材とに挟まれて使用されるヒゲ付き円環部材に関する。
【背景技術】
【０００２】
建物の内側および外側の型枠（せき板、ともいう）の間にコンクリートを流し込んで固めることで、壁が作られるが、その前段階として、以下の３つの工程がある。
１．建物の内側に型枠を設置する。
２．壁の鉄筋を組み立てる。
３．建物の外側に型枠を設置する。
【０００３】
このうち、１．では、次のような作業が行われる。
図１３に示すように、内側の型枠１５に所定間隔で設けられている穴部にセパレータ（軸部）１４を挿通させる。なお、セパレータ（軸部）１４には、予めその両側に位置決め部材１３が挿通されている。この位置決め部材１３は、お椀型の形状を有していて、型枠と接するそのお椀の縁部が、型枠１５に設けられた穴部の内径より大きい。位置決め部材１３の端部から露出したオスネジ（セパレータ）は、型枠１５の一面に設けられた穴部に挿通されて、その型枠１５の他面に露出される。
【０００４】
また、型枠１５の他面から露出したセパレータ１５の端部（オスネジ）を締めるメスネジ１７の縁部も、型枠１５に設けられた穴部の内径より大きい。このため、露出したオスネジを型枠１５の他面からメスネジ１７を使用して締め付けることで、セパレータ１４が、その型枠１５の穴部の位置に固定される。
【０００５】
図１４は、内側の型枠１５の設置が終了した後に、鉄筋１９が組み立てられた様子を示す図である。
また、図１５は、その鉄筋１９の組み立てが終了した後に、外側の型枠２１が設置された様子を示す図である。外側の型枠２１についても内側の型枠１５と同様に設置作業を行うことができる。ここでは、その外側の型枠２１の設置方法の説明は省略する。
【０００６】
また、図１６は、外側の型枠２１の設置が終了した後で、さらに、内側および外側の型枠の間にコンクリート２２を流し込んで固めた状態を示した断面図である。
コンクリート２２を流し込んで固めた状態の後工程としては、それぞれの型枠の剥離工程がある。
【０００７】
例えば、特許文献１は、型枠に予め端太部材を組みつけておき、係止部材をその端太部材に引っ掛けて、押圧ボルトの締め込み動作に伴って、その端太部材を介して型枠を離間方向に押圧することによって型枠の剥離（解体）を行う型枠解体用縁切具が示されている。
【０００８】
しかし、型枠に予め端太部材を組みつけておくのは手間である。また、縁切具も、係止部材、押圧ボルト、等により構成され、安価には実現し難い。
【特許文献１】実開平０５−０８４７４８号公報  「型枠解体用縁切具」
【発明の開示】
【発明が解決しようとする課題】
【０００９】
本発明の課題は、簡素な構成を有し、型枠を剥離することを可能とした、ヒゲ付き円環部材を提供することである。
【課題を解決するための手段】
【００１０】
本発明の第１態様のヒゲ付き円環部材は、軸部に挿通される位置決め部材と、その位置決め部材が当接する型枠とに挟まれて使用され、ドーナツ形状を潰した形状を有する円環部材と、位置決め部材の端部から露出したオスネジとともに前記型枠の一面に設けられた穴部に挿通されて、該型枠の他面に前記オスネジとともに露出されるように使用され、前記ドーナツ形状を潰した形状の外周の対向または略対向する位置に設けた２つの溝部を介して、前記円環部材に巻き付けたワイヤーにより構成されるヒゲ部を備え、そのドーナツ形状の中空部分の中心部をそのワイヤーが通過することを避けるようにしたことを特徴とするヒゲ付き円環部材である。
【００１１】
ここで、ヒゲ部（ワイヤー）は、その円環部材のドーナツ形状の中空部分の中心部を避けるように円環部材に巻きつけられているので、位置決め部材の端部から露出したオスネジを、その中空部分に挿通させることで、その位置決め部材の端部から露出したオスネジとともにヒゲ部を型枠の一面に設けられた穴部に挿通させて、その型枠の他面にそのオスネジとともにヒゲ部を露出させることが可能となる。また、その型枠の他面に露出したヒゲ部は、円環部材の溝部を介して、その円環部材に巻きつけられているので、そのヒゲ部の先端同士を結んだワイヤーを引っ張り部材を用いて引っ張った場合、そのワイヤーの結び目が一層強く結ばれるとともに、そのヒゲ部に巻かれた円環部材を介して型枠が引っ張られることになる。よって、型枠の剥離が可能となる。
【００１２】
本発明の第２態様のヒゲ付き円環部材は、軸部に挿通される位置決め部材と、その位置決め部材が当接する型枠とに挟まれて使用され、ドーナツ形状を潰した形状を有する円環部材と、位置決め部材の端部から露出したオスネジとともに前記型枠の一面に設けられた穴部に挿通されて、該型枠の他面に前記オスネジとともに露出されるように使用され、前記ドーナツ形状を潰した形状の中心部から同じ距離または略同じ距離であって、対向または略対向する位置に設けた２つの穴部を介して、前記円環部材に挿通されたワイヤーにより構成されるヒゲ部を備え、そのドーナツ形状の中空部分の中心部をそのワイヤーが通過することを避けるようにしたことを特徴とするヒゲ付き円環部材である。
【発明の効果】
【００１３】
本発明によれば、簡素な構成を有するヒゲ付き円環部材を用いて、型枠を剥離することができる。
【発明を実施するための最良の形態】
【００１４】
以下、本発明の実施の形態を、図面を参照しながら詳細に説明する。
図１は、本発明の一実施形態のヒゲ付き円環部材を示す斜視図である。
図１に示すように、ヒゲ付き円環部材１０は、ドーナツ形状を潰した形状を有する円環部材１１、ドーナツ形状を潰した形状の外周の対向または略対向する位置に設けた２つの溝部を介して、円環部材１１に巻き付けたワイヤー（ヒゲ部）１２、を備える。
【００１５】
図１では、巻きつけたワイヤー１２の一部（表面のワイヤー１２の結び目のＡ部分および裏面のＢ部分）が、円環部材１１のそれぞれの面に半田付けされることにより、円環部材１１のドーナツ形状の中空部分の中心部をワイヤー１２が通過することを避けている。
【００１６】
なお、後述するように、型枠から露出されたヒゲ部（ワイヤー）１２の先端部同士を結んで、引っ張り部材により、その結んだワイヤー１２を引っ張ることにより、円環部材１１を介して型枠を引っ張ったときに、その型枠が剥離可能な程度の強度を持つ材料によりワイヤーおよび円環部材を構成することができる。
【００１７】
図２は、位置決め部材１３に挿通され、そのお椀型の形状の端部から露出したセパレータ（軸部）１４の端部（オスネジ）を示す斜視図である。また、図３は、図２のセパレータ１４の端部に挿通されることで、位置決め部材のお椀型の形状の端部上に置かれたヒゲ付き円環部材を示す斜視図である。
【００１８】
図３に示すように、円環部材１１の中空部分にセパレータの端部を挿通することで、ヒゲ付き円環部材は、位置決め部材のお椀型の形状の端部の上に置かれる。
図４は、本実施形態における、建物の内側に型枠を設置する手順を説明する図である。
【００１９】
図４では、位置決め部材１３のお椀型の形状の端部には、図３に示すようにして、ヒゲ付き円環部材１０が置かれている。そして、内側の型枠１５に所定間隔で設けられている穴部に、位置決め部材１３のお椀型の形状の端部から露出したセパレータ（軸部）１４の端部（オスネジ）を挿通させる際に、そのオスネジとともに、ヒゲ付き円環部材１０のヒゲ部（ワイヤー）１２も、その穴部に挿通させる。このようにして、型枠１５の一面から穴部に挿通されたセパレータの端部およびヒゲ部１２は、型枠１５の他面から、その穴部を介して露出される。
【００２０】
なお、位置決め部材１３のお椀型形状の縁部は、型枠１５に設けられた穴部の内径より大きい。また、型枠１５の他面から露出したセパレータ端部（オスネジ）を締めるメスネジ１７の縁部も、型枠１５に設けられた穴部の内径より大きい。このため、露出したオスネジを型枠１５の他面からメスネジ１７を使用して締め付けることで、セパレータ１４が、その型枠１５の穴部の位置に固定される。
【００２１】
図５は、セパレータ端部（オスネジ）がヒゲ部１２とともに露出した型枠の面を示す斜視図である。
図５において、符号２３で示す、型枠に形成された溝部は、以前の使用時にヒゲ部１２が型枠とメスネジ（図５では、不図示）とに押圧されて形成されたものである。
【００２２】
図６は、型枠の面から露出したセパレータ端部（オスネジ）がメスネジ１７で締められた状態を示す斜視図である。
図６のヒゲ部（ワイヤー）１２は、型枠の面とメスネジ１７に押圧させて、型枠の面内にくい込んでいる。このようなくい込みにより新たに溝部２３が型枠の面内に形成される。
【００２３】
図７は、内側の型枠の設置が終了した後に、鉄筋１９が組み立てられた様子を示す図である。
また、図８は、その鉄筋１９の組み立てが終了した後に、外側の型枠２１が設置された様子を示す図である。外側の型枠２１についても内側の型枠と同様に設置作業を行うことができる。ここでは、その外側の型枠２１の設置方法の説明は省略する。
【００２４】
また、図９は、外側の型枠２１の設置が終了した後で、さらに、内側および外側の型枠の間にコンクリート２２を流し込んで固めた状態を示した断面図である。
コンクリート２２を流し込んで固めた状態の後工程としては、それぞれの型枠の剥離工程がある。
【００２５】
図１０および図１１は、本実施形態における、型枠の剥離工程を説明する図である。
図１０は、型枠を正面から見た図であり、図１１は、型枠を横断面で見た図である。
まず、図１０に示すように、型枠の面のメスネジの縁部からはみ出しているヒゲ部（ワイヤー）の先端同士を結ぶ。そして、図１１に示すように、引っ張り部材（不図示）により、テコの原理等を応用して、その結んだワイヤー１２を引っ張ることにより、円環部材１１を介して型枠を引っ張ることになり、型枠の剥離が行われる。
【００２６】
なお、図１０および図１１に示すように、型枠に設けられた複数の穴部のすべて、または、所定数以上からヒゲ部１２をはみ出すようにして、それらヒゲ部（ワイヤー）１２の先端部同士を結ぶ。そして、その結んだワイヤー１２を引っ張ることで、円環部材１１を介した型枠の剥離が行われる。型枠上からはみ出したヒゲ部（ワイヤー）１２の数が多いほど、すなわち、引っ張り部材に引っ掛ける、結んだワイヤー１２の数が多いほど安定して型枠の剥離を行うことができる。
【００２７】
なお、以上の説明では、ヒゲ部１２の一部が半田付けにより円環部材１１に固定されることで、その円環部材１１の中空部分をヒゲ部（ワイヤー）１２が通過することを避けていた。
【００２８】
そのワイヤー１２を円環部材１１に張るようにして巻きつけるのではなく、その中空部分の中心部をそのワイヤー１２が通過することを避けることを可能とする程度の遊びを持たせてそのワイヤー１２を円環部材１１に巻きつけるようにしてもよい。
【００２９】
なお、内側の型枠１５を設置した後に、鉄筋を組み立てる作業をする際に、外側の型枠２１の剥離時に使用するヒゲ部（ワイヤー）１２が作業者の邪魔にならないように、図４または図７に示すように、保護用筒１８をヒゲ部１２にかぶせることもできる。外側の型枠２１に設けられた穴部に、セパレータ１４の端部およびヒゲ部１２を一層容易に挿通させるためにも、ヒゲ部１２を保護用筒１８で保護することが望ましい。
【００３０】
なお、以上の説明では、ヒゲ部（ワイヤー）１２を円環部材１１の外周の対向する位置または略対向する位置に設けた溝部を介して巻き付ける構成であったが、図１２に示すように、円環部材３１のドーナツ形状を潰した形状の中心部から同じ距離または略同じ距離であって、対向または略対向する位置に設けた２つの穴部３２、３３を介して、ワイヤー１２をその円環部材３１に挿通して、ヒゲ付き円環部材３０を構成することもできる。
【００３１】
この場合も、その円環部材３１の中空部分の一方の側および他方の側を通過するワイヤーの部分をその円環部材のそれぞれの面に半田付けすることにより、そのドーナツ形状の中空部分の中心部をそのワイヤー１２が通過することを避けるようにしてもよいし、または、その円環部材３１の中空部分の中心部をそのワイヤー１２が通過することを避けることを可能とする程度の遊びを持たせてそのワイヤー１２を円環部材３１の穴部３２、３３に挿通させてもよい。
【００３２】
図１２の変型例のヒゲ付き円環部材３０についても図１のヒゲ付き円環部材１０と同様の使用方法で型枠の剥離を行うことができる。
【図面の簡単な説明】
【００３３】
【図１】本発明の一実施形態のヒゲ付き円環部材を示す斜視図である。
【図２】位置決め部材に挿通され、そのお椀型の形状の端部から露出したセパレータの端部を示す斜視図である。
【図３】図２のセパレータの端部に挿通されることで、位置決め部材のお椀型の形状の端部上に置かれたヒゲ付き円環部材を示す斜視図である。
【図４】本実施形態における、建物の内側に型枠を設置する手順を説明する（断面）図である。
【図５】セパレータ端部（オスネジ）がヒゲ部とともに露出した型枠の面を示す斜視図である。
【図６】型枠の面から露出したセパレータ端部（オスネジ）がメスネジで締められた状態を示す斜視図である。
【図７】図４の内側の型枠の設置が終了した後に、鉄筋が組み立てられた様子を示す（断面）図である。
【図８】図７の鉄筋の組み立てが終了した後に、外側の型枠が設置された様子を示す（断面）図である。
【図９】図８の外側の型枠の設置が終了した後に、内側および外側の型枠の間にコンクリートを流し込んで固めた状態を示した断面図である。
【図１０】本実施形態における、型枠の剥離工程を説明する図（その１）である。
【図１１】本実施形態における、型枠の剥離工程を説明する図（その２）である。
【図１２】本発明のヒゲ付き円環部材の変形例を示す斜視図である。
【図１３】従来技術における、建物の内側に型枠を設置する手順を説明する（断面）図である。
【図１４】図１３の内側の型枠の設置が終了した後に、鉄筋が組み立てられた様子を示す（断面）図である。
【図１５】図１４の鉄筋の組み立てが終了した後に、外側の型枠が設置された様子を示す（断面）図である。
【図１６】図１５の外側の型枠の設置が終了した後に、内側および外側の型枠の間にコンクリートを流し込んで固めた状態を示した断面図である。
【符号の説明】
【００３４】
１０、３０  ヒゲ付き円環部材
１１、３１  円環部材
１２  ワイヤー（ヒゲ部）
１３  位置決め部材
１４  セパレータ
１５  内側の型枠
１７  メスネジ
１８  保護用筒
１９  鉄筋
２１  内側の型枠
２２  コンクリート
３２、３３  穴部
【図１】
2006249923.tif 000003
【図２】
2006249923.tif 000004
【図３】
2006249923.tif 000005
【図４】
2006249923.tif 000006
【図５】
2006249923.tif 000007
【図６】
2006249923.tif 000008
【図７】
2006249923.tif 000009
【図８】
2006249923.tif 000010
【図９】
2006249923.tif 000011
【図１０】
2006249923.tif 000012
【図１１】
2006249923.tif 000013
【図１２】
2006249923.tif 000014
【図１３】
2006249923.tif 000015
【図１４】
2006249923.tif 000016
【図１５】
2006249923.tif 000017
【図１６】
2006249923.tif 000018